(57)【特許請求の範囲】
【請求項１】
錠剤が投入される下降位置から錠剤を排出する上昇位置の間を昇降するバケットを備えた錠剤用バケットリフターの錠剤投入装置において、
前工程から供給される錠剤を前記下降位置のバケットまで搬送し、投入する直進フィーダトラフを備え、
前記直進フィーダトラフは、該直進フィーダトラフから後傾したバケットに錠剤を直接供給し、バケットが上昇工程に入る直前に錠剤を後進させ、バケットが上昇中に直進フィーダトラフの先端から錠剤が落下するのを防止するようにした錠剤用バケットリフターの錠剤投入装置。
【請求項２】
前記直進フィーダトラフは、底板の先端部を短い斜片に形成し、底板の中間部を内寄り三角突部としたことを特徴とする請求項１記載の錠剤用バケットリフターの錠剤投入装置。
【請求項３】
前記直進フィーダトラフへの錠剤を供給する搬送シュートの供給路にシリコン暖簾を設けたことを特徴とする請求項１記載の錠剤用バケットリフターの錠剤投入装置。
【発明の詳細な説明】
【技術分野】
【０００１】
本発明は、主として医薬食品業界で利用される錠剤用バケットリフターの錠剤投入装置であって、錠剤が投入される下降位置から錠剤を排出する上昇位置の間を昇降するバケットを備えた錠剤用バケットリフターに関する。
【背景技術】
【０００２】
錠剤用バケットリフターとしては、多数のバケットを上昇位置と下降位置の間で連続的に循環させる循環式バケットリフターと、１つのバケットを同一軌道で上昇位置と下降位置の間で往復させる往復式バケットリフターがあり、医薬食品業界で錠剤（カプセル剤も含む）をリフトする場合には、薬の種類を変更した場合の洗浄の必要性から、往復式バケットリフターを多く採用している。
【０００３】
図８は、従来の往復式バケットリフターの一例を示しており、床面等に立設されたタワー１０１内に、下降位置と上昇位置との間で昇降可能な一つのバケット１０２が配置されており、タワー１０１の上端部には排出シュートが設けられ、タワー１０１の下端部には、錠剤投入装置１０３が隣接配置されている。前記排出シュートの排出端部には錠剤貯蔵用のドラム容器等が配置されており、前記錠剤投入装置１０３の前工程には、たとえば打錠機１０４等が配置されている。
【０００４】
錠剤投入装置１０３には、振動フィーダ１０５が設けられ、振動フィーダ１０５上には振動伝達部材１０６を介して搬送トラフ１０７が連結され、この搬送トラフ１０７には打錠機１０４等から搬送シュート１０８より錠剤が投入されている。
【０００５】
振動フィーダ１０５は、ヒンジ式支持脚１０９上の水平なヒンジ軸芯О1の回りに空圧シリンダ装置１１０により前傾状態あるいは後傾状態にして、搬送トラフ１０７も同様に前傾状態あるいは後傾状態にして傾斜ガイド１１１を経て錠剤をバケット１０２に投入するようにしてある。
【０００６】
この搬送トラフ１０７の前傾状態あるいは後傾状態では、バケット１０２に錠剤を供給し、バケット１０２と搬送トラフ１０７先端間の下方に錠剤を落下させることがあった。
【先行技術文献】
【特許文献】
【０００７】
【特許文献１】特開２００８−３０８３２０号公報
【発明の開示】
【発明が解決しようとする課題】
【０００８】
従来の錠剤用バケットリフターの錠剤投入装置では、傾斜ガイドがあり洗浄部品点数が多く、またバケットと搬送トラフ先端間の下方に錠剤を落下させることがあった。
【課題を解決するための手段】
【００１０】
本発明は、バケットと搬送トラフ先端間の下方への錠剤の落下を防止すべく、錠剤が投入される下降位置から錠剤を排出する上昇位置の間を昇降するバケットを備えた錠剤用バケットリフターの錠剤投入装置において、前工程から供給される錠剤を下降位置のバケットまで搬送し、投入する直進フィーダトラフを備え、直進フィーダトラフは、直進フィーダトラフから後傾したバケットに錠剤を直接供給し、バケットが上昇工程に入る直前に錠剤を後進させ、バケットが上昇中に直進フィーダトラフの先端から錠剤が落下するのを防止するようにした錠剤用バケットリフターの錠剤投入装置とした。
【００１１】
さらに、本発明は、バケットと搬送トラフ先端間の下方への錠剤の落下を防止すべく、具体的には、前記直進フィーダトラフは、底板の先端部を短い斜片に形成し、底板の中間部を内寄り三角突部としたことを特徴とする請求項２記載の錠剤用バケットリフターの錠剤投入装置とした。
【００１２】
さらにまた、本発明は、バケットと搬送トラフ先端間の下方への錠剤の落下を防止すべく、具体的には、前記直進フィーダトラフへの錠剤を供給する搬送シュートの供給路にシリコン暖簾を設けたことを特徴とする請求項２記載の錠剤用バケットリフターの錠剤投入装置とした。
【発明の効果】
【００１３】
本発明は、錠剤が投入される下降位置から錠剤を排出する上昇位置の間を昇降するバケットを備えた錠剤用バケットリフターの錠剤投入装置において、電磁式直進フィーダに連結支持されると共に、前工程から供給される錠剤を前記下降位置のバケットまで搬送し、投入する直進フィーダトラフを備え、前記直進フィーダトラフは、電磁式直進フィーダの周波数を制御して供給する錠剤量を調整し、後傾したバケットに供給するようにしたことを特徴とする錠剤用バケットリフターの錠剤投入装置であるので、洗浄部品点数を出来るだけ少なくすることができる。
【００１４】
また、本発明は、錠剤が投入される下降位置から錠剤を排出する上昇位置の間を昇降するバケットを備えた錠剤用バケットリフターの錠剤投入装置において、電磁式直進フィーダに連結支持されると共に、前工程から供給される錠剤を前記下降位置のバケットまで搬送し、投入する直進フィーダトラフを備え、前記直進フィーダトラフは、電磁式直進フィーダの周波数を制御して供給する錠剤量を調整し、後傾したバケットに供給し、バケットが上昇工程に入る直前に錠剤を後進させ、バケットが上昇中に直進フィーダトラフの先端から錠剤が落下するのを防止するようにした錠剤用バケットリフターの錠剤投入装置であるので、バケットと搬送トラフ先端間の下方への錠剤の落下を防止することができる。
【００１５】
さらに、本発明は、具体的には、前記直進フィーダトラフは、底板の先端部を短い斜片に形成し、底板の中間部を内寄り三角突部としたことを特徴とする請求項２記載の錠剤用バケットリフターの錠剤投入装置であるので、バケットと搬送トラフ先端間の下方への錠剤の落下を防止することができる。
【００１６】
さらにまた、本発明は、具体的には、前記直進フィーダトラフへの錠剤を供給する搬送シュートの供給路にシリコン暖簾を設けたことを特徴とする請求項２記載の錠剤用バケットリフターの錠剤投入装置であるので、バケットと搬送トラフ先端間の下方への錠剤の落下を防止することができる。
【発明を実施するための最良の形態】
【００１７】
図１は本発明による錠剤投入装置を備えた錠剤用バケットリフターの縦断面略図、図２は図１の平面図、図３は錠剤前進中の錠剤の受取状態を示す図１の錠剤投入装置の縦断面図、図４は図３の平面図、図５は錠剤後進中の錠剤の受取状態を示す図１の錠剤投入装置の縦断面図、図６は図５の平面図、図７は直進フィーダトラフの斜視図、図８は従来の錠剤用バケットリフターの錠剤投入装置の縦断面図である。
【００１８】
本発明の錠剤用バケットリフターの錠剤投入装置を、上記に示す図に基づいて詳細に説明する。
【００１９】
図１において、バケットリフター１は、薬品用錠剤生産および検査ラインの最終工程に配置されており、床面等に立設されたタワー２の下端部の一側に錠剤投入装置３が配置され、タワー２の上端部の他側に排出シュート４が設けられており、前記錠剤投入装置３は前工程である打錠機に隣接配置されている。
【００２０】
バケット６は回転軸７に支持されてタワー２に沿って上下動する。
【００２１】
タワー２の下部には、隣接して電磁式直進フィーダ８が配置され、電磁式直進フィーダ８の上方には直進フィーダトラフ９が設けられている。
【００２２】
タワー２にはバケット６や直進フィーダトラフ９の動作を制御するタッチパネル１０を設ける。
【００２３】
本発明は、洗浄部品点数をできるだけ少なくすべく、錠剤が投入される下降位置から錠剤を排出する上昇位置の間を昇降するバケット６を備えた錠剤用バケットリフターの錠剤投入装置において、電磁式直進フィーダ８に連結支持されると共に、前工程から供給される錠剤を前記下降位置のバケット６まで搬送し、投入する直進フィーダトラフ９を備え、前記直進フィーダトラフ９は、電磁式直進フィーダ８の周波数を制御して供給する錠剤量を調整し、後傾したバケット６に供給するようにしたことを特徴とする錠剤用バケットリフターの錠剤投入装置とした。
【００２４】
本発明では、バケット６を後傾させることにより、傾斜ガイドをなくすことができ、洗浄部品の点数を少なくすることができる。
【００２５】
また、本発明は、バケットと搬送トラフ先端間の下方への錠剤の落下を防止すべく、錠剤が投入される下降位置から錠剤を排出する上昇位置の間を昇降するバケット６を備えた錠剤用バケットリフターの錠剤投入装置において、電磁式直進フィーダ８に連結支持されると共に、前工程から供給される錠剤を前記下降位置にバケット６まで搬送し、投入する直進フィーダトラフ９を備え、前記直進フィーダトラフ９は、電磁式直進フィーダ８の周波数を制御して供給する錠剤を調整し、後傾したバケット６に供給するようにしたことを特徴とする錠剤用バケットリフターの錠剤投入装置とした。
【００２６】
バケット６や直進フィーダトラフ９の動作の一例を図９に示す。
【００２７】
直進フィーダトラフ９の運転時間Ｔ１、Ｔ２、Ｔ３、Ｔ４、Ｔ５、Ｔ６および前進や後進の指示Ｐ１、Ｐ２、Ｐ３で制御できる。
【００２８】
さらに、本発明は、前記直進フィーダトラフ９は、底板１５の先端部を短い斜片１１に形成し、底板１５の中間部を内寄り三角突部１３としたことを特徴とする請求項２記載の錠剤用バケットリフターの錠剤投入装置である。
【００２９】
図３、図４、図５、図６、図７において、直進フィーダトラフ９の底板１５の先端部は短い斜片１１に形成してある。この斜片１１は搬送シュート１２より供給された錠剤が直ちに直進フィーダトラフ９の先端から落下しない役目を果たす。
【００３０】
図４および図７で、直進フィーダトラフ９の底板１５の中間には内寄り三角突部１３が突設してある。この三角突部１３には直進フィーダトラフ９が前進を続ける間に、三角突部１３の前側に二点鎖線の示す空間部ができ、バケット６が上昇工程に入る直前に錠剤を後進させる際、後進錠剤の流入スペースとなり、直進フィーダトラフ９先端から落下するのを防止する機能を果たす。
【００３１】
図４に示す回転軸７はバケット６に固着され、エアシリンダーやモーター動力にて回転させる。
【００３２】
さらに、本発明は、直進フィーダトラフ９への錠剤を供給する搬送シュート１２の供給路にシリコン暖簾１４を設けたことを特徴とする請求項２記載の錠剤用バケットリフターの錠剤投入装置である。
【００３３】
図３、図４、図５、図６に示すシリコン暖簾１４は、打錠機等から搬送シュート１２を経て供給路への錠剤の量を制限できる。
【産業上の利用可能性】
【００３４】
本発明は、バケットと搬送トラフ先端間の下方への錠剤の落下を防止するために用いたが、搬送装置からバケット以外の容器の錠剤落下防止に使用できる。
【図面の簡単な説明】
【００３５】
【図１】本発明による錠剤投入装置を備えた錠剤用バケットリフターの縦断面略図である。
【図２】図１の平面図である。
【図３】錠剤前進中の錠剤の受取状態を示す図１の錠剤投入装置の縦断面図である。
【図４】図３の平面図である。
【図５】錠剤後進中の錠剤の受取状態を示す図１の錠剤投入装置の縦断面図である。
【図６】図５の平面図である。
【図７】直進フィーダトラフの斜視図である。
【図８】従来の錠剤用バケットリフターの錠剤投入装置の縦断面図である。
【図９】バケットや直進フィーダトラフの動作の一例を示す図である。
【符号の説明】
【００３６】
６…バケット
８…電磁式直進フィーダ
９…直進フィーダトラフ
１５…底板
１１…斜片
１３…三角突部
１４…シリコン暖簾
【図１】
0005410171.tif 000002
【図２】
0005410171.tif 000003
【図３】
0005410171.tif 000004
【図４】
0005410171.tif 000005
【図５】
0005410171.tif 000006
【図６】
0005410171.tif 000007
【図７】
0005410171.tif 000008
【図８】
0005410171.tif 000009
【図９】
0005410171.tif 000010